(57)【要約】      （修正有）【課題】暗い場所で美しい光を出す造花、並びにその製造方法を提供する。【解決手段】ラウリル硫酸ナトリウム、水、コカミドプロピルベタイン、コカミドＤＥＡ、ポリビニルアルコール、コーンスターチ、グリセリン、メチルパラベン、エデト酸２ナトリウム、ミネラルオイル、香料、＋−赤色２号、＋−赤色１０２号、＋−赤色２１３号、黄色４号、青色１号と、蓄光剤のアルミン酸塩化合物とを、アルミン酸塩化化合物が０．０５重量％となるように混合した石鹸素材を用いて、造花を製造する。【選択図】図１
2012021246.tif 000002
【特許請求の範囲】
【請求項１】
ラウリル硫酸ナトリウム、水、コカミドプロピルベタイン、コカミドＤＥＡ、ポリビニルアルコール、コーンスターチ、グリセリン、メチルパラベン、エデト酸２ナトリウム、ミネラルオイル、香料、＋−赤色２号、＋−赤色１０２号、＋−赤色２１３号、黄色４号、青色１号を混合して成型した石鹸素材の造花。
【請求項２】
畜光剤をさらに含有する
請求項１に記載の造花。
【請求項３】
前記畜光剤は、アルミン酸塩化合物である
請求項２に記載の造花。
【請求項４】
前記畜光剤が約０．０５重量％含有されている
請求項３に記載の造花。
【請求項５】
ラウリル硫酸ナトリウム、水、コカミドプロピルベタイン、コカミドＤＥＡ、ポリビニルアルコール、コーンスターチ、グリセリン、メチルパラベン、エデト酸２ナトリウム、ミネラルオイル、香料、＋−赤色２号、＋−赤色１０２号、＋−赤色２１３号、黄色４号、青色１号を混合して練りこんで石鹸素材を生成する第１の工程と、
前記第１の工程で生成した石鹸素材を用いて原板シートを製作する第２の工程と、
前記第２の工程で製作した原板シートを複数種類の大きさの花びらに断裁する第３の工程と、
前記第３の工程で断裁した前記複数種類の大きさの花びらを、それぞれの大きさに対応した金型を用いて熱成型して前記複数を大きさの３次元形状の花びらを成型する第４の工程と、
前記第４の工程で成型された複数種類の大きさの花びらを集めた後にガクと結合して所定の姿勢に固定し、その後、ピンで固定して造花を製造する第５の工程と
を有する造花製造方法。
【発明の詳細な説明】
【技術分野】
【０００１】
本発明は生花と酷似したリアルな質感や柔軟性、光沢などに富む造花と、その製造方法に関するものである。
【背景技術】
【０００２】
現在、紙素材等の様々な造花が製造されている。
【先行技術文献】
【特許文献】
【０００３】
【特許文献１】特開平８−４９１０６号公報
【発明の概要】
【発明が解決しようとする課題】
【０００４】
しかしながら、このような紙素材で製造された造花は、例えば、渦巻き螺旋状態に連続する１枚物のティッシュペーパーであり、複数の枚葉物から重合状態をなす生花とは外観が大きく異なる。また、香りが無いため、花という印象が薄い。ティッシュペーパーに着色や塗装などの加工も施されていないため、生花の花弁と酷似したリアルな質感や光沢、華やかさなどを達成することができない。さらには、形崩れや破損なども生じやすく、耐用性に劣る問題がある。
【０００５】
本発明はかかる事情に鑑みてなされたものであり、その目的は、生花と酷似した外観の造花、並びにその製造方法を提供することにある。
また、本発明は、暗い場所で美しい光を出す造花、並びにその製造方法を提供することを目的とする。
【課題を解決するための手段】
【０００６】
上述した従来技術の問題点を解決し、上述した目的を達成するために、本発明の造花は、  ラウリル硫酸ナトリウム、水、コカミドプロピルベタイン、コカミドＤＥＡ、ポリビニルアルコール、コーンスターチ、グリセリン、メチルパラベン、エデト酸２ナトリウム、ミネラルオイル、香料、＋−赤色２号、＋−赤色１０２号、＋−赤色２１３号、黄色４号、青色１号を混合して成型した石鹸素材からなる。
【０００７】
その他、本発明の造花は、畜光剤をさらに含有する。
当該畜光剤は、例えば、アルミン酸塩化合物である。
また、上記造花は、例えば、上記畜光剤が約０．０５重量％含有されている。
【０００８】
また、本発明の造花製造方法は、ラウリル硫酸ナトリウム、水、コカミドプロピルベタイン、コカミドＤＥＡ、ポリビニルアルコール、コーンスターチ、グリセリン、メチルパラベン、エデト酸２ナトリウム、ミネラルオイル、香料、＋−赤色２号、＋−赤色１０２号、＋−赤色２１３号、黄色４号、青色１号を混合して練りこんで石鹸素材を生成する第１の工程と、前記第１の工程で生成した石鹸素材を用いて原板シートを製作する第２の工程と、前記第２の工程で製作した原板シートを複数種類の大きさの花びらに断裁する第３の工程と、前記第３の工程で断裁した前記複数種類の大きさの花びらを、それぞれの大きさに対応した金型を用いて熱成型して前記複数を大きさの３次元形状の花びらを成型する第４の工程と、前記第４の工程で成型された複数種類の大きさの花びらを集めた後にガクと結合して所定の姿勢に固定し、その後、ピンで固定して造花を製造する第５の工程とを有する。
【発明の効果】
【０００９】
本発明によれば、生花と酷似した外観の造花、並びにその製造方法を提供することができる。
また、本発明によれば、暗い場所で美しい光を出す造花、並びにその製造方法を提供することができる。
【図面の簡単な説明】
【００１０】
【図１】図１は、本発明の造花の外観図である。
【図２】図２は、本発明の造花の製造方法を説明するための図である。
【発明を実施するための形態】
【００１１】
＜第１実施形態＞
以下、本発明の実施形態の造花について説明する。
図１は、本発明の実施形態の造花の外観図である。
図１に示す造花は、以下の成分からなる石鹸素材で形成されている。
【００１２】
［素材］
ラウリル硫酸ナトリウム、水、コカミドプロピルベタイン、コカミドＤＥＡ、ポリビニルアルコール、コーンスターチ、グリセリン、メチルパラベン、エデト酸２ナトリウム、ミネラルオイル、香料、＋−赤色２号、＋−赤色１０２号、＋−赤色２１３号、黄色４号、青色１号を混合して成型した石鹸素材の造花。
【００１３】
本実施形態の造花は、上述したような石鹸素材を用いたことから、以下の特徴を有する。
（１）  香りがある。
（２）  花の大きさが生花と同じである。
（３）  枯れることがなく、長く楽しめる。
（４）  安心、安全である。
（５）  希望の色で製造できる。
（６）  生花、シルクフラワー等とコラボレーションしても馴染む。
（７）  蒸気を当てることにより、花びらを好みの大きさに広げることができ、一つの花のツボミの状態から開花の状態までを手加減で造れる。
（８）  芯をはずして、花びらを増減でき、他の色の花との組み合わせができる。
【００１４】
以下、上述した実施形態の造花の製造方法を説明する。
図２は、本発明の実施形態の造花製造方法の手順を説明するためのフローチャートである。
ステップＳＴ１：
原材料の練り：  上述した原材料を割合に合わせて混合し、練りこんで石鹸素材を製造する。
【００１５】
ステップＳＴ２：
原板製作：  上述した石鹸素材の花の原板シートを製作する。
【００１６】
ステップＳＴ３：
断裁：  ステップＳＴ２で製作した原板シートを小、中、大、特大の４種類の大きさの花びらに断裁する。
【００１７】
ステップＳＴ４：
成型：  ステップＳＴ３で断裁した４種類の大きさの花びらを、それぞれの大きさに対応した金型を用いて熱成型する。これにより、４種の大きさの３次元形状の花びらが成型される。
【００１８】
ステップＳＴ５：
組み立て：  ステップＳＴ４で熱処理された４種類の大きさの花びらを集めた後にガクと結合して所定の姿勢に固定し、その後、ピンで固定する。このとき、大きさが異なる４種類の花びらを順番に重ねた姿勢で固定を行う。これにより、本実施形態の造花が完成する。  
【００１９】
ステップＳＴ６：
品質検査を行う。
【００２０】
ステップＳＴ７：
包装を行う。
【００２１】
ステップＳＴ８：
出荷前検査を行う。
【００２２】
ステップＳＴ９：
出荷を行う。
【００２３】
本実施形態の造花は、上述したように（１）〜（８）の効果が得られる。
また、本実施形態の造花の製造方法によれば、生花と酷似した外観の造花を効率的に製造できる。また、本実施形態では、石鹸素材を用いることで豊かな香りを持つ造花を製造できる。
【００２４】
＜第２実施形態＞
本実施形態の造花は、上述した第１実施形態で示した石鹸素材に、さらに畜光剤を含有した素材で形成される。
当該蓄光剤は、例えば、アルミン酸塩化合物である。
ここで、本実施形態の上述した石鹸素材とアルミン酸塩化合物とを含有した素材内で、アルミン酸塩化合物が０．０５重量％となるように混合して原材料を製造する。
【００２５】
そして、当該製造した原材料を用いて、上述した図２の製造方法で、花びらを成形する。
【００２６】
本実施形態によれば、第１実施形態の効果の他に以下の効果を得ることができる。
本実施形態の造花では、暗い場所で美しい光を出し、装飾効果を高めることができる。例えば、披露宴のキャンドルサービスの際などに特に効果的である。
【００２７】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
本実施形態の石鹸素材は、上述した材料を含むものであれば任意である。また、畜光剤としては、アルミン酸塩化合物以外を用いてもよい。
【産業上の利用可能性】
【００２８】
本発明は、造花、並びにその製造装置に適用できる。
【符号の説明】
【００２９】
１…造花
【図１】
2012021246.tif 000003
【図２】
2012021246.tif 000004